(57)【要約】      （修正有）【課題】手軽に持ち運び可能な容器で、且つ容器自体を適宜簡便に変化可能な模様にする観賞用花鉢の提供。【解決手段】直径若しくは一辺を３ｃｍ〜３０ｃｍで高さ５ｃｍ〜６０ｃｍとなした透明な内部容器と、直径若しくは一辺を５ｃｍ〜３６ｃｍで高さ５ｃｍ〜６０ｃｍとなした透明な外部容器との組合せからなり、前記内部容器に切り花や観葉植物などを植え、且つ上記内部容器と外部容器とを組合せたさいの間隙内にカレー粉、さんしょう粉、とうがらし粉などの粉類や小豆、大豆、あわ、きび、米、麦など穀物類やコーヒー豆などの粒体、或いは南天の花実やビーズ玉などの天然や人工の各種着色粉粒球体を填入させる。【選択図】図４
0003110423.tif 000002
【実用新案登録請求の範囲】
【請求項１】
直径若しくは一辺を３ｃｍ〜３０ｃｍで高さ５ｃｍ〜６０ｃｍとなした透明な内部容器と、直径若しくは一辺を５ｃｍ〜３６ｃｍで高さ５ｃｍ〜６０ｃｍとなした透明な外部容器との組合せからなり、前記内部容器に切り花や観葉植物などを植え、且つ上記内部容器と外部容器とを組合せたさいの間隙内にカレー粉、さんしょう粉、とうがらし粉などの粉類や小豆、大豆、あわ、きび、米、麦など穀物類やコーヒー豆などの粒体、或いは南天の花実やビーズ玉などの天然や人工の各種着色粉粒球体を填入させるものとなしたことを特徴とする観賞用花鉢。
【請求項２】
内部容器と外部容器を共に円筒容器となしたことを特徴とする請求項１記載の観賞用花鉢。
【請求項３】
内部容器と外部容器を共に方形容器となしたことを特徴とする請求項１記載の観賞用花鉢。
【請求項４】
内部容器と外部容器の何れか一方を円筒容器若しくは方形容器となし、内部容器と外部容器間に少なくとも１ｃｍ程度の隙間が形成されるものとなしたことを特徴とする請求項１記載の観賞用花鉢。
【請求項５】
内部容器の底面部に水抜き穴を設けてあることを特徴とした請求項１，２，３又は４記載の観賞用花鉢。
【請求項６】
内部容器の底面部に於ける水抜き穴と対応する外部容器の底面部箇所に、同じく水抜き穴を設けてあることを特徴とした請求項５記載の観賞用花鉢。
【考案の詳細な説明】
【技術分野】
【０００１】
本考案は、専ら書斎のデスク上や居間などの飾り棚上へ置いて、目を楽しませ、また心を癒してくれる観賞用花鉢に関する。
【背景技術】
【０００２】
居住空間の適所に観葉植物や切り花を設けて、心身に対しやすらぎの空間を提供することが盛んに行われている。また、植物から発生するマイナスイオンが健康や心療作用を呈することも知られている。
【特許文献１】実開平７−３４６３２号
【考案の開示】
【考案が解決しようとする課題】
【０００３】
従来に於ける観葉植物や切り花などの使用は、専ら鉢植えなどを使用した大きなものであって、日常の持ち運びや手軽な移動のさいに不便を感ずるものである。また、鉢物はその容器自体や形状を、適宜簡便に取り換えてその視覚的変化が得られるようにすることは困難であった。本考案は専ら書斎のデスク上や居間などの飾り棚上へ簡便に置いて観賞を可能にするべく比較的小さなもので、且つ容器自体の外見上から得られる雰囲気を適宜に変えられるようになして、変化のある心療空間が容易に得られるようにすることを目的とする。
【課題を解決するための手段】
【０００４】
本考案に係る観賞用花鉢は、直径若しくは一辺を３ｃｍ〜３０ｃｍで高さ５ｃｍ〜６０ｃｍとなした透明な内部容器と、直径若しくは一辺を５ｃｍ〜３６ｃｍで高さ５ｃｍ〜６０ｃｍとなした透明な外部容器との組合せからなり、前記内部容器には切り花や観葉植物などを植え、且つ上記内部容器と外部容器とを組合せたさいに形成される間隙内にはカレー粉、さんしょう粉、とうがらし粉などの粉類や小豆、大豆、あわ、きび、米、麦など穀物類やコーヒー豆などの粒体、或いは南天の花実やビーズ玉などの天然や人工の各種着色粉粒球体を填入させるものとなすのである。而して、内部容器と外部容器を共に円筒容器となしたり、方形容器となしたり、或いは内部容器と外部容器の何れか一方を円筒容器若しくは方形容器となしたりし、且つ内部容器と外部容器とを適宜組合せたさいに形成される両者間の隙間を少なくとも１ｃｍ程度に形成されるものとなすのである。このさい、内部容器の底面部には少なくとも水抜き穴を設けたものとなすことができ、またこれと対応する外部容器の底面部箇所に対しても、同様に水抜き穴を設けるものとなすことができる。
【考案の効果】
【０００５】
本考案は以上の通り、透明で且つ円筒或いは方形になした内部容器と外部容器とを適宜に組合せると共に、そのさい両者間に少なくとも１ｃｍ程度の隙間を形成させ、該隙間に対し各種着色された粉体や粒体或いは球体などを単独、或いはこれらの適宜な組合せのものとに填入させるものとなすのであり、而してこれらは一定肉厚で透明になした容器を通過するさいの光の乱反射などと共に、外見上また見る角度でも異なる特殊な創作模様の形成されるものになって認識されることから、花の取り換え以外に即ち容器を取り換えたりすることでも、簡便且つ容易に体や心を和ませてくれるものとなる。なお、使用するカレー粉、さんしょう粉、とうがらし粉などの粉類や、小豆、大豆、あわ、きび、米、麦などの穀物類やコーヒー豆などの粒体、及び南天の実やビーズ玉などの天然や人工の球体などは、何ら特別なものではなくて日常の身近で随時簡便に入手できることから、その変化態様を安価且つ容易になし得られる効果がある。
【考案を実施するための最良の形態】
【０００６】
図１は本考案に係る円筒容器の実施態様を示すものであって、１は内径３ｃｍ〜３０ｃｍで高さ５ｃｍ〜６０ｃｍとなした内部容器、２は内径５ｃｍ〜３６ｃｍで高さ５ｃｍ〜６０ｃｍとなした外部容器であって、両者共に透明なプラスチックやガラスなどで肉厚２ｍｍ〜３ｍｍ程度となされる製品である。
【０００７】
図２は他の実施例を示すものであって、１’は一辺を３ｃｍ〜１８ｃｍで高さ５ｃｍ〜１０ｃｍとなした内部容器、２’は一辺を５ｃｍ〜２０ｃｍで高さ５ｃｍ〜１０ｃｍとなした外部容器であって、両者共に透明なプラスチックや硝子などで肉厚２ｍｍ〜３ｍｍ程度となされた製品である。
【０００８】
図３Ａ，Ｂ，Ｃ，Ｄは上記円筒及び方形の内部容器１，１’及び外部容器２，２’の組合せ態様例を示すものであり、各図から明らかな通り夫々れ内部容器１（１’）と外部容器２（２’）の両者間には少なくとも１ｃｍ程度の隙間ｓが形成されるものとなされてある。
【０００９】
図４は使用状態図であって、本例の組合せ容器は図３に於けるＡ及びＢで示したものである。このさい、３は内部容器１（１’）に植栽させてなる観葉植物であり、４は上記内部容器１（１’）と外部容器２（２’）との隙間ｓに対し填入させてなるカレー粉、さんしょう粉、とうがらし粉などの粉類や、小豆、大豆、あわ、きび、米、麦など穀物類やコーヒー豆などの粒体、或いは南天の花実やビーズ玉などの天然や人工の各種着色粉粒球体（被填入物）である。図示例のＡでは米４’を、同Ｂでは南天の花実４”を填入させたものを示す。なお、これらの被填入物は天かすの如き副産物の使用も可能である。
【００１０】
上記実施例では内部容器１（１’）と外部容器２（２’）を、共に円筒や角筒に形成されたものを示したが、内外の形状を異ならしめたものとなしても良い。
【００１１】
上記例では観葉植物３などを内部容器１（１’）へ直接的に植込んだものであるが、市販の鉢植えされたものを、内部容器１（１’）内へ間接的に仕込んで構成させることも差し支えない。
また、上記実施例に於ける観葉植物３は切り花となしても良いのであって、本考案実施の範囲内とするものである。
【００１２】
なお、上記した内部容器１（１’）の凡そ中央底面部には、適宜大きさ寸法の水抜き孔を設けたものとなしても良く、またこれと組合せる外部容器２（２’）の対応箇所に対しても、同様に水抜き孔を設けるものとなしても良い。即ち、これらのものを含めて本考案では幾つかの容器を作成しておくのであり、これら容器を内部容器１（１’）へ植栽させる植物に対応し、適宜好みのものを選択して採用するのである。
【００１３】
本考案は以上の如く構成するのであり、一定肉厚を有する透明なプラスチックや硝子製の内部容器１（１’）と外部容器２（２’）を少なくとも１ｃｍ程度の隙間ｓが形成する如くに組合せ、組合された両者間に対して日常身近に存在し、且つ簡便に入手可能な着色粉粒球体（被填入物）を填入させるものとなすのであり、従って上記被填入物を単独或いは適宜組合わせたものとなすことにより、従来の既成観念に捉われない各種変化可能な模様や色彩感覚の得られる容器及びその使用を提供可能にするものである。
【図面の簡単な説明】
【００１４】
【図１】本考案に係る円筒容器の斜視図である。
【図２】本考案に係る方形容器の斜視図である。
【図３】上記の円筒容器と方形容器の組合せ斜視図である。
【図４】観葉植物を植栽した使用状態図である。
【符号の説明】
【００１５】
１，１’      内部容器
２，２’      外部容器
３      観葉植物
４      粉粒球体（被填入物）
【図１】
0003110423.tif 000003
【図２】
0003110423.tif 000004
【図３】
0003110423.tif 000005
【図４】
0003110423.tif 000006